(57)【要約】【課題】  デスク上の任意の場所に配置してスペースを区切ることができ、また固定も移動も容易なデスクトップパーティションを提供する。【解決手段】  デスク上に配置し、スペースを区切る目的で使用するパーティションについて、側方ないし上方などに向けられた取り付け部１４ａ、１４ｂを有し、下部に、自立可能な自立足部１７と、デスク上への固定手段１９を有する少なくとも１個の縦型の基部１１と、所定の形状を保持するために枠形に形成され、端部にて上記の取り付け部１４ａ、１４ｂに取り付けられる保形枠１５と、保形枠１５に装着され、保形枠１５で囲まれた箇所を閉じておくためのカバー２０とを備えた構成を有する。【選択図】          図２
0003115190.tif 000002
【実用新案登録請求の範囲】
【請求項１】
デスク上に配置し、スペースを区切る目的で使用するパーティションであって、側方ないし上方などに向けられた取り付け部を有し、下部に自立手段としての自立足部を有する少なくとも１個の縦型の基部と、所定の形状を保持するために枠形に形成され、端部にて上記の取り付け部に取り付けられる保形枠と、保形枠に装着され、保形枠で囲まれた箇所を閉じておくためのカバーとを備えた構成を有するデスクトップパーティション。
【請求項２】
縦型の基部は、左右一対の部材から成り、少なくともいずれか一方の部材に溝状の取り付け部を備えている請求項１記載のデスクトップパーティション。
【請求項３】
保形枠は、帯金ないし線材より成り、それを弾性的に変形し、ばね性を有する枠形に形成されている請求項１記載のデスクトップパーティション。
【請求項４】
カバーは、不透明な布ないしシート材より成る請求項１記載のデスクトップパーティション。
【請求項５】
固定手段は、磁石ないし粘着テープであり、これが自立可能な足片に取り付けられている請求項１記載のデスクトップパーティション。
【考案の詳細な説明】
【技術分野】
【０００１】
本考案は、デスク上に配置し、スペースを区切る目的で使用するデスクトップパーティションに関するものである。
【背景技術】
【０００２】
デスクトップパーティションなどと通称されているものは、文字通りデスクやテーブル上に配置して一定のスペースを区切り、一定の領域を確保する目的で使用され、日本語でいえば卓上の仕切りということになる。これまでに見られたデスクトップパーティションは、コ字型のクランプを用いて事務机に固定する構造を持っており、そのために配置場所が限定される傾向がある。また、机の構造の一部となるように頑丈に設けられていることから、重量もかなりのものとなる。
【０００３】
先行技術には、例えば特開２００２−１７４５６号があり、その符号２２で示される卓上仕切り板は、両端支持杆部の下端を備品取り付け孔に挿入することにより取り付けられるが、配置場所は天板の後縁などに限定される。また、登録実用新案第３０９８８６６号の仕切り板は、机の天板ではなく、棚装置の背部材と棚板の後部で固定されるようになっており、どちらの発明、考案によっても、デスク上の任意の場所に固定できるようにはなっていない。
【０００４】
【特許文献１】特開２００２−１７４５６号
【特許文献２】実用新案登録第３０９８８６６号
【考案の開示】
【考案が解決しようとする課題】
【０００５】
本考案は前記の点に着目してなされたもので、その課題は、デスク上の任意の場所に配置してデスク上のスペースを区切ることができ、また固定も移動も容易なデスクトップパーティションを提供することである。また本考案は、共用で使用することが前提となるフリースペースデスクの活用において真価を発揮するデスクトップパーティションの提供を目的とする。
【課題を解決するための手段】
【０００６】
前記の課題を解決するため本考案は、デスク上に配置し、スペースを区切る目的で使用するパーティションについて、側方ないし上方などに向けられた取り付け部を有し、下部に自立手段としての自立足部とデスク上への固定手段を有する少なくとも１個の縦型の基部と、所定の形状を保持するために枠形に形成され、端部にて上記の取り付け部に取り付けられる保形枠と、保形枠に装着され、保形枠で囲まれた箇所を閉じておくためのカバーとを備えたものとするという手段を講じている。
【０００７】
本考案のパーティションは、縦型の基部と、保形枠と、カバーとを備えた構成を有している。縦型基部は、保形枠の取り付け相手になる側方ないし上方などに向けられた取り付け部を有する部分であり、かつまた自立手段としての自立足部と、デスク上への固定手段を有する部分でもある。スペースを区切るという目的のためには、自立足部があればそれで十分であり、固定手段は不可欠ではないが、実用上は自立足部に固定手段の備わっていることが好都合である。基部は、パーティションとして縦の仕切りの一部を構成するために、縦型に設けるものであり、それがパーティションを支えるための基部となるため縦型基部と称しているものである。縦型の基部は、左右一対の部材から成り、少なくともいずれか一方の部材に溝状の取り付け部を備えていることが望ましい。
【０００８】
保形枠は、デスクトップパーティションに必要な大きさと形状を保持する枠形に形成されている。枠形であるのは、パーティションとしての重量を軽くする上で効果があり、また、所定の形状を得易いからでもある。保形枠は、縦型の基部の取り付け部に、端部にて取り付けられる。縦型の基部の溝状の取り付け部に、保形枠の端部を嵌め合わせて取り付けることは、作業性の点から好ましいことである。またこの保形枠は、帯金ないし線材より成り、要部を塑性的に変形し、全体としてはばね性を有する枠形に形成されていることが望ましい。ばね性を備えることは、形状に柔軟性を与え変形も容易になり、身体の接触時に安全であるなど好ましい点が多い。
【０００９】
カバーは、保形枠に装着して一体となり、保形枠で囲まれた箇所を閉じて、仕切りとしての目隠しの機能を果たすものである。故にカバーは多くの場合不透明であることが望ましく、材質は布材ないしプラスチックシート材などから構成される。カバーは、保形枠と一体化して目隠しとなるものであるが、保形枠で囲まれた箇所は勿論、場合によっては、保形枠の外形へ膨らむ形状を持つことも許される。このようにすれば、保形枠だけでは不足する場合に、大型のカバーと交換することによって目隠しできる範囲を拡大できる可能性もある。
【００１０】
固定手段には、例えば磁石ないし粘着テープが適当であり、これが自立可能な足片に取り付けられていることが望ましい。多くの場合、デスク上面又はその内部には鋼板があり、それを磁石の吸着相手として利用することができるし、鋼板がない場合には粘着剤による固定が有効である。
【考案の効果】
【００１１】
本考案は上記のように構成されかつ作用するものであるから、デスク上の任意の場所に配置してスペースを区切ることができ、かつまたその場所で固定することができるので、配置場所の制限がなく、自由に場所を選ぶことができるものであり、一旦配置したあとでも移動も固定も容易である。よって、共用することが前提となるフリースペースデスクの真の活用が可能となり、実用性が高い。
【考案を実施するための最良の形態】
【００１２】
以下図示の実施形態を参照して本考案をより詳細に説明する。図１ないし図４は本考案に係るデスクトップパーティション１０の例１を示している。
【００１３】
１１は縦型の基部で、左右一対の部材１２ａ、１２ｂから成り、ねじを結合手段１３として一体に結合されている。左右一対の部材１２ａ、１２ｂの一方には、内部に、側方に向けられた２箇所の溝状の取り付け部１４ａ、１４ｂが設けられており、両取り付け部１４ａ、１４ｂはやや開いていて、帯金より成る保形枠１５の端部１６ａ、１６ｂを嵌め込むことができるようになっている。例示の端部１６ａ、１６ｂは直線状であるが、これを折り曲げてカギ形とすれば抜け止めとなるので必要によりどちらかを選択することができる。カギ形とする場合には取り付け部１４ａ、１４ｂもカギ形とするか、穴を開けることになる。なお、保形枠１５は、予め希望の形状に成形しておくものとする。
【００１４】
縦型の基部１１は、下部に、自立手段を具備するための自立足部１７を有している。例示した自立足部１７は、縦型の基部１１の左右部材１２ａ、１２ｂの下部に、側方へ向けて張り出すように設けられている左右の足片１８ａ、１８ｂより成り（図４参照）、平らなデスク上に置いたときに安定した自立性を発揮する。さらに、自立足部１７は固定手段１９によりデスク上に固定される。例示した固定手段１９は両面接着構造を有するテープから成る。
【００１５】
保形枠１５にはカバー２０が装着されている。例示したカバー２０は、予め与えられている保形枠１５と同形同大か、或いは幾分小型に形成してあるもので、一端にスリット状の開口２１を有する偏平な袋状構造を有していて、スポンジシートを布材により覆った不透明な材料より成る。保形枠１５は帯金状の部材より成り、そのため弾性的に変形し、ばね性を有する枠形に形成されているので、カバー２０の開口２１が保形枠１５の最大形状部より小型であっても、弾性変形させて原形に復原することができる。
【００１６】
このように構成されている例１のデスクトップパーティション１０は、保形枠１５は帯金状部材より成り、またカバー２０はスポンジシートに布材より成るので、数十センチメートルの長さとその２分の１ほどの高さを有する大きさであっても、３００グラム程度と非常に軽量におさまる。よって、自立足部１７をデスク上に置くと図１に示すように自立させることができ、固定手段１９によりデスク上面に接着させるとしっかりと固定することができる。
【００１７】
図５ないし図８は本考案に係る例２のデスクトップパーティション１０′を示してい
る。例２のものは、２個の縦型の基部２１、２２を使用するもので、自立足部１７′として左右の足片１８′ａ、１８′ｂを有している。各基部２１、２２は、左右一対の部材２３ａ、２３ｂから成り、各部材２３ａ、２３ｂには、縦方向と横方向の２箇所の溝状の取り付け部２４ａ、２４ｂが設けられている。２個の縦型基部２１、２２を結合する部材
２５として上部に長手方向のスリット開口を有するチャネル材を使用し、２個の保形枠
２６、２７の内、直線状のもの（２６）をチャネル溝内に挿入しておくことができるようになっている。
【００１８】
直線状の保形枠２６の両端部２６ａ、２６ｂは、２個の縦型の基部２１、２２の横方向の取り付け部２４ｂに嵌め込み、Ｃ字型で横長に形成されている保形枠２７の両端部２７ａ、２７ｂは、同じく２個の縦型の基部２１、２２の縦方向の取り付け部２４ａに嵌め込んで組み立てられる。カバー２８の保形枠２６、２７への装着は、その保形枠２６、２７の組み立て前に行うものとする。カバー２８の下部両隅には、保形枠２６、２７を挿入するためのスリット２８ａ、２８ｂが設けられている。組み立ての手順を整理すると、最初に両保形枠２６、２７をカバー２８の内部に挿入し、次いで直線保形枠２６をカバー下部ごと結合部材２５のチャネル溝内に挿入し、さらに両保形枠２６、２７の端部２６ａ、２６ｂ、２７ａ、２７ｂを縦型の基部２１、２２の溝状の取り付け部２４ａ、２４ｂに嵌め込み、最後に結合手段２９を用いて組み付けを終えることになる。なお、保形枠２６は、不可欠という訳ではなく、結合部材２５に代用させることも十分可能である。
【００１９】
例２のデスクトップパーティション１０′は、例１と構造的には共通し、軽量であるとともに、デスクトップを適切に仕切ることができるものであって、縦型の基部２１、２２を２個有しているので、自立時の安定性が向上する上、両端にて固定手段（１９）により固定し得るので、身体が触れても弾性変形するだけで動くことはない。この点例１のものでは、弾性変形するとやや動くことになるのと相違する。また身体が触れた場合、保形枠２６、２７は例１同様柔軟であり、カバー２８はスポンジと布製であるので、擦り傷などをつけることもなく、安全である。
【００２０】
図９ないし図１２は本考案に係る例３のデスクトップパーティション１０″を示している。例３のものは、１個の縦型の基部３１に柱を立てて、その上端に留め部３２を取り付け、縦型の基部３１と留め部３２に保形枠３７の両端部３７ａ、３７ｂを取り付けるもので、自立足部１７″として左右の足片１８″ａ、１８″ｂを有し、また保形枠３７、３８は１８０度間隔で２個配置している。縦型の基部３１は左右一対の部材３１ａ、３１ｂから成り、結合手段３３のねじにより一体に結合される。左右一対の部材３１ａ、３１ｂには内部に両側方へ向けられた取り付け部３４ａ、３４ｂが設けてあり、それらの間に上下方向の柱３５の保持部３６が設けてある。柱３５は保形枠３８の取り付け部材を兼ねており、上下方向のチャネル溝を１８０度間隔で有している。留め部３２は左右一対の部材３２ａ、３２ｂより成り、柱３５の上端にそれを挟む柱保持部３９にて取り付けられ、結合手段３３のねじにより一体に結合される。また内部には両側方へ向けられた取り付け部４１ａ、４１ｂが設けてある。
【００２１】
カバー４０は上下両隅にスリット４１ａ、４１ｂを有し、そこから保形枠３７、３８が挿入される。組み立ては例２と共通しており、最初に両保形枠３７、３８をカバー４０の内部に挿入し、次いで縦の直線保形枠３８をカバー側部ごと柱３５のチャネル溝内に挿入し、曲げられた保形枠３７の両端部３７ａ、３７ｂは、夫々縦型の基部３１の取り付け部３４ａ、３４ｂと留め部３２の取り付け部４１ａ、４１ｂに嵌め込んで取り付け、さらに結合手段３３が取り付けられる。例３のものは、１個の縦型の基部３１と柱３５で接続された留め部３２を有し、その左右に保形枠３７、３８を２個１８０度間隔で取り付けて構成されるが、曲げられた保形枠３７、３７は同形同大であり、安定した自立が期待でき、固定手段１９による固定によってデスク上にしっかりと固定される。
【００２２】
本考案のデスクトップパーティション１０、１０′、１０″は上記のように構成され、デスク上の任意の場所に自立的に配置することによりスペースを区切ることができるものであって、軽量でデスク上のどこにでも固定し、また移設することができる。その外観は保形枠とカバーにより自由に決められ、デザインも自由に選択可能である。図１３はその例示であり、例１と同様の基本的構成に尻尾４２を付加えて魚のイメージを与えている。図１４は尻尾４３を丸くしかつ耳４４を描き加えて兎のイメージを与えたものである。
【００２３】
また、図１に示したデスクトップパーティション１０に、装飾カバー４５を取り付けることにより、無機的なパーティションを装飾的なものに変えることができるので、その例を図１５に示す。例示の装飾カバー４５はデスクトップパーティション１０の縦型の基部１１に嵌め合わせ、粘着テープなどの装着手段４６により縦型の基部１１に固定的に取り付ける例であり、前脚部４７は、デスクトップパーティション１０の自立足部１７を外面から覆う。なお兎の耳は、本考案に係るデスクトップパーティション１０を持つためのハンドルとして使用しても良い。
【００２４】
さらに、図５に示したデスクトップパーティション１０′に類似のものについては、縦型の基部２１′の端辺４８をデスク上面に対して直角に形成し、それによってデスクトップパーティション１０′を端辺４８を接して並べ、仕切り範囲を拡張するために便宜なように形成することができる。この縦型の基部２１′は、デスクトップパーティション１０′の一端だけに設けても良く、また両端に設けても良い。
【図面の簡単な説明】
【００２５】
【図１】本考案に係るデスクトップパーティションの例１を示す斜視図。
【図２】同上の分解斜視図。
【図３】同じく要部側面図。
【図４】図３のＩＶ−ＩＶ線断面図。
【図５】本考案の例２を示す斜視図。
【図６】同上の分解斜視図。
【図７】同じく要部破断側面図。
【図８】図７のＶＩＩＩ−ＶＩＩＩ線断面図。
【図９】本考案の例３を示す斜視図。
【図１０】同上の分解斜視図。
【図１１】同じく要部破断側面図。
【図１２】図１１の要部横断面図。
【図１３】本考案のデスクトップパーティションのデザイン例１を示す側面図。
【図１４】同じく例２を示す側面図。
【図１５】装飾カバーを示すもので、Ａは外観図、Ｂはデスクトップパーティションに取り付けた状態の斜視図。
【図１６】本考案の例２の変形例を示す正面図。
【符号の説明】
【００２６】
１０、１０′、１０″  デスクトップパーティション
１１、２１、２１′、２２、３１  縦型の基部
１２ａ、１２ｂ、２３ａ、２３ｂ、３１ａ、３１ｂ  左右一対の部材
１４ａ、１４ｂ、２４ａ、２４ｂ、３４ａ、３４ｂ、４１ａ、４１ｂ  取り付け部
１５、２６、２７、３７、３８  保形枠
１６ａ、１６ｂ、２６ａ、２６ｂ、２７ａ、２７ｂ、３７ａ、３７ｂ  端部
１７、１７′、１７″  自立足部
１８ａ、１８ｂ、１８′ａ、１８′ｂ、１８″ａ、１８″ｂ  左右の足片
１９  固定手段
２０、２８、４０  カバー
４５  装飾カバー
【図１】
0003115190.tif 000003
【図２】
0003115190.tif 000004
【図３】
0003115190.tif 000005
【図４】
0003115190.tif 000006
【図５】
0003115190.tif 000007
【図６】
0003115190.tif 000008
【図７】
0003115190.tif 000009
【図８】
0003115190.tif 000010
【図９】
0003115190.tif 000011
【図１０】
0003115190.tif 000012
【図１１】
0003115190.tif 000013
【図１２】
0003115190.tif 000014
【図１３】
0003115190.tif 000015
【図１４】
0003115190.tif 000016
【図１５】
0003115190.tif 000017
【図１６】
0003115190.tif 000018